(57)【要約】【課題】高温流体の循環停止によって熱交換器内部に留まる冷却水が高温状態になり、熱交換器の内部が腐食される事態を効果的に防止できる熱回収システムを提供すること。【解決手段】熱回収システム１は、循環ラインＬ４を流通する高温流体としての潤滑油Ｈ１と、腐食性物質を含む冷却水としての給水Ｗ１の間で熱交換を行って給水Ｗ１を加熱するオイルクーラ２３と、潤滑油Ｈ１の循環及び給水Ｗ１の流通を制御する制御部９０と、を備え、制御部９０は、潤滑油Ｈ１の循環が停止した後も、オイルクーラ２３を通過した給水Ｗ１の温度がオイルクーラ２３の高温腐食を抑制可能な所定温度を下回るまで給水Ｗ１の流通を継続する。【選択図】図１
2018025358.tif 000002
【特許請求の範囲】
【請求項１】
高温流体と腐食性物質を含む冷却水との間で熱交換を行って冷却水を加熱する熱交換器と、
高温流体の流通及び冷却水の流通を制御する制御部と、を備え、
前記制御部は、
高温流体の流通が停止した後も、前記熱交換器を通過した冷却水の温度が前記熱交換器の高温腐食を抑制可能な所定温度を下回るまで冷却水の流通を継続する熱回収システム。
【請求項２】
冷却水は、腐食性物質として塩化物イオン及び／又は硫酸イオンを含む淡水である請求項１に記載の熱回収システム。
【請求項３】
冷却水は、腐食性物質として残留塩素を含む淡水である請求項１に記載の熱回収システム。
【請求項４】
前記熱交換器の高温腐食を抑制可能な所定温度は、５０℃以下の温度である請求項１〜３のいずれかに記載の熱回収システム。
【請求項５】
前記制御部は、
高温流体の流通が停止すると、設定時間を経過するまで冷却水の流通を継続する請求項１〜４のいずれかに記載の熱回収システム。
【請求項６】
前記熱交換器から流出する冷却水の温度を検出する温度検出部を更に備え、
前記制御部は、
高温流体の流通が停止すると、前記温度検出部の検出温度を監視し、所定温度を下回るまで冷却水の流通を継続する請求項１〜４のいずれかに記載の熱回収システム。
【発明の詳細な説明】
【技術分野】
【０００１】
本発明は、循環ラインを流通する高温熱媒体と冷却水の間で熱交換を行う熱回収システムに関する。
【背景技術】
【０００２】
従来から、冷却対象の高温流体と冷却水の間で熱交換を行うことにより、高温流体を冷却するとともに冷却水を加熱する熱回収システムが知られている。この種の技術を開示するものとして例えば特許文献１や特許文献２がある。特許文献１には、蒸気利用機器からの高温のドレンを給水タンクへ回収しつつ、給油式空気圧縮機の圧縮熱を、給水タンクに送られるボイラ給水（冷却水）との熱交換により回収して、ボイラ給水の昇温ならびに圧縮機の潤滑油の冷却を図る技術が開示されている。特許文献２には、給油式空気圧縮機の圧縮熱を回収する熱回収システムとして、オイルクーラ（油冷却器）に送られる潤滑油（高温流体）と、給水タンクに送られるボイラ給水（冷却水）と、の間で熱交換を行う構成が開示されている。特許文献１，２の熱回収システムでは、圧縮機の稼働中に、圧縮機と熱交換器の間で潤滑油を循環させながら、潤滑油の冷却と熱回収を行っている。
【先行技術文献】
【特許文献】
【０００３】
【特許文献１】特開２０１０−３８３８３号公報
【特許文献２】特開２０１２−８７６６４号公報
【発明の概要】
【発明が解決しようとする課題】
【０００４】
ところで、給油式空気圧縮機における潤滑油の循環は、スクリュー式圧縮機構やスクロール式圧縮機構などの機械的なポンプ作用によるものであるため、圧縮機の稼動が停止されると、熱交換器では潤滑油（高温流体）の流通が止まってしまう。このとき、熱源である圧縮機の停止に併せて冷却水の供給を止めてしまうと、熱交換器内部に滞留する冷却水が熱交換器内部に残存する高温の潤滑油で過熱されることがある。
【０００５】
冷却水は、通常、水道水や工業用水を用いるため、塩化物イオンや硫酸イオンなどの陰イオンや、残留塩素などの酸化性物質が、腐食性物質として含まれていることが多い。ボイラ給水を冷却水とする場合も同様の水質傾向である。そのため、耐食性を考慮した金属材料、例えば、ステンレス材などが熱交換器に使用されているものの、腐食性物質は高温になるほど金属材料の腐食を促進するので、熱交換器の耐用年数が不安定になりやすい。更に、熱交換器内に滞留している冷却水が過熱され続けると、伝熱面の表面などで局所的な沸騰が起こることもある。そうすると、腐食性物質が濃縮されることになり、金属材料の腐食がより進行してしまうことになる。高耐食性の金属材料としてチタン材を使用した熱交換器を用いることも考えられるが、チタン材自体は高価であり、熱回収のメリットが出にくい現場では、設備費用の償却に時間が掛かってしまうので適用が難しかった。
【０００６】
本発明は、高温流体によって熱交換器内部に滞留する冷却水が過熱され、熱交換器の内部が腐食される事態を効果的に防止できる熱回収システムを提供することを目的とする。
【課題を解決するための手段】
【０００７】
本発明は、高温流体と腐食性物質を含む冷却水との間で熱交換を行って冷却水を加熱する熱交換器と、高温流体の流通及び冷却水の流通を制御する制御部と、を備え、前記制御部は、高温流体の流通が停止した後も、前記熱交換器を通過した冷却水の温度が前記熱交換器の高温腐食を抑制可能な所定温度を下回るまで冷却水の流通を継続する熱回収システムに関する。
【０００８】
冷却水は、例えば、腐食性物質として塩化物イオン及び／又は硫酸イオンを含む淡水である。また、冷却水は、例えば、腐食性物質として残留塩素を含む淡水である。
【０００９】
前記熱交換器の高温腐食を抑制可能な所定温度は、５０℃以下の温度であることが好ましい。
【００１０】
前記制御部は、高温流体の流通が停止すると、設定時間を経過するまで冷却水の流通を継続することが好ましい。
【００１１】
前記熱回収システムは、前記熱交換器から流出する冷却水の温度を検出する温度検出部を更に備え、前記制御部は、高温流体の流通が停止すると、前記温度検出部の検出温度を監視し、所定温度を下回るまで冷却水の流通を継続することが好ましい。
【発明の効果】
【００１２】
本発明によれば、高温流体によって熱交換器内部に滞留する冷却水が過熱され、熱交換器の内部が腐食される事態を効果的に防止できる熱回収システムを提供できる。
【図面の簡単な説明】
【００１３】
【図１】本発明の第１実施形態に係る熱回収システムの構成を模式的に示す図である。
【図２】本発明の第２実施形態に係る熱回収システムの構成を模式的に示す図である。
【発明を実施するための形態】
【００１４】
以下、本発明の好ましい実施形態について、図面を参照しながら説明する。
【００１５】
＜第１実施形態＞
図１は、本発明の第１実施形態に係る熱回収システム１の構成を模式的に示す図である。第１実施形態の熱回収システム１は、圧縮機ユニット１０と、熱回収ユニット２０と、冷却水給水ポンプ２１と、制御部９０と、を主要な構成として備える。熱回収システム１は、圧縮機ユニット１０で生じる圧縮熱を熱回収ユニット２０で回収することにより蒸気ボイラ４への給水Ｗ１（冷却水）を加熱する。
【００１６】
また、熱回収システム１は、給水タンク５への給水制御や圧縮空気Ａ１の供給又は停止等、各種の制御を行う制御部９０を備える。制御部９０は、各構成と電気的に接続されるコンピュータである。次に、各構成について説明する。
【００１７】
〔圧縮機ユニット１０〕
圧縮機ユニット１０は、外気を吸入・断熱圧縮して圧縮空気Ａ１を生成するためのユニットである。図１に示すように、圧縮機ユニット１０は、圧縮機１１と、蒸気エンジン１２と、蒸気容量制御弁１３と、逆止弁１４と、オイルセパレータ１５と、を主要な構成要素として備える。これらの構成要素は、一つの筐体内に収められ、パッケージ化されている。
【００１８】
圧縮機ユニット１０の構成要素について説明する。
圧縮機１１は、空気圧縮機構としてスクリュー機構（図示省略）を有し、圧縮空気Ａ１の生成過程で潤滑油Ｈ１をスクリュー機構内に導入することにより、空気圧縮機構の冷却、即ち圧縮熱の除去を行う給油式（油冷却式、油潤滑式とも呼ばれる）である。なお、空気圧縮機構は、スクロール機構、ロータリー機構等種々の機構を採用できる。
【００１９】
蒸気エンジン１２は、圧縮機１１を駆動する駆動源である。蒸気エンジン１２には、蒸気を供給する給蒸ラインＬ１と蒸気を排出する排蒸ラインＬ２が接続される。また、本実施形態では、軸漏れ蒸気を排出するための軸漏れ蒸気ラインＬ６が更に接続される。
【００２０】
蒸気容量制御弁１３は、給蒸ラインＬ１に配置される。蒸気容量制御弁１３の開閉及び開度の変更により、蒸気エンジン１２の駆動、停止、出力が調節される。また、逆止弁１４は、排蒸ラインＬ２に配置される。なお、圧縮機１１の駆動源は、蒸気駆動式に限らず、電気駆動式のモータ等種々の駆動源を採用できる。
【００２１】
オイルセパレータ１５は、圧縮機１１から吐出された圧縮空気Ａ１に含まれる潤滑油Ｈ１の分離器である。
【００２２】
圧縮機１１には、圧縮空気Ａ１を送出するための送気ラインＬ３が接続されている。送気ラインＬ３には、上流から順にオイルセパレータ１５、及びエアクーラ２２（アフタークーラとも呼ばれる）が配置される。圧縮機１１から吐出された圧縮空気Ａ１は、送気ラインＬ３を通じてオイルセパレータ１５で潤滑油Ｈ１が分離された後、後述する熱回収ユニット２０のエアクーラ２２へ送られる。送気ラインＬ３におけるエアクーラ２２の下流側には、エアドライヤ（図示省略）が配置されている。圧縮空気Ａ１は、このエアドライヤによって水分が除去された後、圧縮空気利用機器（図示省略）へ送られる。
【００２３】
オイルセパレータ１５には、分離・回収された潤滑油Ｈ１を圧縮機１１に再導入するための循環ラインＬ４が接続されている。循環ラインＬ４には、上流から順にオイルクーラ２３、及び三方弁１６が配置される。三方弁１６の残りポートには、オイルクーラ２３をバイパスさせて潤滑油Ｈ１を流通させるバイパスラインＬ５が接続されている。
【００２４】
〔熱回収ユニット２０〕
図１に示すように、給水ラインＬ１０には、上流側から順に、エアクーラ２２、オイルクーラ２３、ドレン熱交換器２４、電動弁２５、及び温度センサ２６が熱回収ユニット２０の構成要素として配置される。本実施形態の熱回収ユニット２０は、これらの構成要素を一つの筐体内に収めてパッケージ化されている。これによって既設の圧縮機ユニット１０に対しても後付けが可能である。具体的には、オイルセパレータ１５から延びる送気ラインＬ３は、エアクーラ２２に至る途中で圧縮機ユニット１０の外部に引き出され、熱回収ユニット２０の内部で適宜の位置に配設されたのちに、再び圧縮機ユニット１０の内部に戻されている。一方、オイルセパレータ１５から延びる循環ラインＬ４は、オイルクーラ２３に至る途中で圧縮機ユニット１０の外部に引き出され、熱回収ユニット２０の内部で適宜の位置に配設されたのちに、再び圧縮機ユニット１０の内部に戻されている。
【００２５】
エアクーラ２２は、圧縮空気Ａ１（高温流体）と給水Ｗ１（冷却水）の間で熱交換を行う熱交換器である。エアクーラ２２では、給水Ｗ１が加熱されるとともに圧縮空気Ａ１が冷却される。
【００２６】
オイルクーラ２３は、潤滑油Ｈ１（高温流体）と給水Ｗ１（冷却水）の間で熱交換を行う熱交換器である。オイルクーラ２３では、エアクーラ２２で加熱された給水Ｗ１が加熱されるとともに潤滑油Ｈ１が冷却される。
【００２７】
ドレン熱交換器２４は、軸封漏れ蒸気（高温流体）と給水Ｗ１（冷却水）の間で熱交換を行う熱交換器である。ドレン熱交換器２４では、オイルクーラ２３で加熱された給水Ｗ１が加熱されるとともに、軸封漏れ蒸気が冷却されて低温の凝縮水となる。なお、軸封漏れ蒸気は、高温の蒸気凝縮水（ドレン）を含むことがある。
【００２８】
本実施形態では、エアクーラ２２、オイルクーラ２３及びドレン熱交換器２４が直列接続されており、これらの熱交換器によって給水Ｗ１が複数回加熱されることになる。即ち、熱回収ユニット２０は、高温流体である圧縮空気Ａ１、潤滑油Ｈ１及び軸封漏れ蒸気から熱回収を行って給水ラインＬ１０を流れる給水Ｗ１（冷却水）を加熱する。
【００２９】
電動弁２５は、開度を変更可能な比例制御弁である。本実施形態の電動弁２５は、複数配置される熱交換器のうち、最も下流側に位置するドレン熱交換器２４の更に下流側に配置されている。
【００３０】
温度センサ２６は、電動弁２５の下流側で給水Ｗ１の温度を検出する。エアクーラ２２、オイルクーラ２３及びドレン熱交換器２４で順次加熱された給水Ｗ１の温度が温度センサ２６によって検出される。
【００３１】
〔冷却水給水ポンプ２１〕
冷却水給水ポンプ２１は、給水ラインＬ１０を通じて供給源（図示省略）から送られてきた給水Ｗ１（冷却水）に対して圧力を付与する。本実施形態の冷却水給水ポンプ２１は、制御部９０によって定圧運転されている。
【００３２】
本実施形態の供給源から供給される給水Ｗ１は、水道水や工業用水等、腐食性物質を含有する淡水である。給水Ｗ１に含有される腐食性物資としては、塩化物イオン、硫酸イオン、残留塩素などが挙げられる。これらの腐食性物質は、単独で、或いは並存して含有され得る。なお、ボイラ給水用途の給水Ｗ１の場合、熱回収ユニット２０の上流側で硬水軟化装置により硬度成分（カルシウムイオン及びマグネシウムイオン）が除去されるが、給水Ｗ１には腐食性物質がそのまま残留する。
【００３３】
〔蒸気ボイラ４及び付帯設備〕
給水ラインＬ１０を通じて送られる給水Ｗ１は、給水タンク５に貯留された後、蒸気ボイラ４に送られる。本実施形態の給水タンク５には、給水ラインＬ１０の他に補給水ラインＬ１１が接続されており、補給水ラインＬ１１からも補給水が供給される。また、所定以上の水を外部に排出するためのオーバーフローラインＬ１２が接続される。
【００３４】
本実施形態では、補給水ラインＬ１１には補給水弁５１が配置されており、補給水弁５１の開閉により給水タンク５への補給水の供給、停止が切り替えられる。給水タンク５には水位検出器５２が配置されており、水位検出器５２の検出信号に基づき補給水弁５１を制御することにより、給水タンク５の水位が適切な範囲に維持される。
【００３５】
給水タンク５に貯留された水は、ボイラ給水ラインＬ１５を通じて蒸気ボイラ４に送られる。ボイラ給水ラインＬ１５には、給水ポンプ５５及び逆止弁５６が配置される。給水タンク５に貯留されている給水Ｗ１は、給水ポンプ５５の駆動により蒸気ボイラ４に送られる。蒸気ボイラ４では、ボイラ給水ラインＬ１５を通じて送られた給水Ｗ１を加熱して蒸気を発生させる。発生した蒸気は、蒸気使用設備（図示省略）に供給される。
【００３６】
〔制御部９０による運転制御の例〕
制御部９０は、蒸気ボイラ４の運転中に圧縮機ユニット１０及び熱回収ユニット２０の起動信号を受信すると、冷却水給水ポンプ２１を駆動する。次に、熱回収ユニット２０の電動弁２５を開状態にして給水Ｗ１を流通させる。温度センサ２６の検出温度が目標温度になるように、電動弁２５の弁開度を調節する。弁開度の調節によってエアクーラ２２、オイルクーラ２３及びドレン熱交換器２４に送る給水流量が調節される。
【００３７】
本実施形態では、エアクーラ２２、オイルクーラ２３及びドレン熱交換器２４の下流側に配置される電動弁２５によって給水ラインＬ１０の流路が絞られることにより、電動弁２５の上流側に位置するエアクーラ２２、オイルクーラ２３及びドレン熱交換器２４の内部を流れる給水Ｗ１に圧力が付与される。エアクーラ２２、オイルクーラ２３及びドレン熱交換器２４内部を流れる給水Ｗ１の圧力が上昇することにより、溶存酸素等の溶存気体が遊離しにくい状況を生み出し、腐食原因となる気泡の滞留を防止する圧力付与部として機能する。なお、気泡の滞留は、水流の停滞を招く原因になりやすく、水流の停滞は、腐食性物質による金属の腐食を引き起こす原因になりやすい。そのため、本実施形態では、気泡の滞留が起こらないように操作している。
【００３８】
制御部９０は、給水Ｗ１を流通させるとともに、圧縮機ユニット１０の蒸気容量制御弁１３を開状態に制御して蒸気エンジン１２を駆動する。制御部９０は、圧縮機ユニット１０及び熱回収ユニット２０の運転中、圧縮空気の使用量に応じて圧縮機１１のロード／アンロード制御を行う。圧縮空気の使用量は、例えば、圧縮空気を貯留するレシーバータンク（図示省略）内の圧力を基準に判断することができる。
【００３９】
圧縮機１１が作動することにより、潤滑油Ｈ１が循環ラインＬ４を循環する。より具体的には、圧縮機１１によって吐出される圧縮空気Ａ１がオイルセパレータ１５に送られ、該オイルセパレータ１５で圧縮空気Ａ１から潤滑油Ｈ１が分離される。オイルセパレータ１５で分離された潤滑油Ｈ１は、循環ラインＬ４を通じてオイルクーラ２３に送られ、給水Ｗ１と熱交換を行った後、圧縮機１１に戻される。本実施形態では、低温の潤滑油Ｈ１がバイパスラインＬ５を通じてオイルクーラ２３を通らずに圧縮機１１に戻る場合もあるが、何れの経路を通る場合でも、オイルセパレータ１５で分離された潤滑油Ｈ１は圧縮機１１に戻ることになる。このように、圧縮機１１の作動中は、潤滑油Ｈ１は循環ラインＬ４を通じて循環する。
【００４０】
〔制御部９０による停止制御の例〕
制御部９０は、圧縮機ユニット１０及び熱回収ユニット２０の停止信号を受信すると、圧縮機ユニット１０の蒸気容量制御弁１３を閉状態にして蒸気エンジン１２の駆動を停止する。これに伴って潤滑油Ｈ１の循環も停止する。
【００４１】
制御部９０は、圧縮機ユニット１０が停止すると、電動弁２５の開状態を維持した状態で温度センサ２６の検出温度を監視する腐食防止制御を開始する。腐食防止制御では、圧縮機ユニット１０の停止信号を受信する前の電動弁２５の弁開度が保持されるとともに、温度センサ２６の検出温度を監視する。
【００４２】
腐食防止制御では、制御部９０は、監視中の給水Ｗ１の温度が所定温度を下回るまで給水Ｗ１の流通を継続する。所定温度は、熱回収用の各熱交換器２２，２３，２４の高温腐食防止の観点から設定される温度である。本実施形態の制御部９０は、各熱交換器２２，２３，２４を通った後の給水Ｗ１の温度が所定温度以下になれば、高温流体である圧縮空気Ａ１、潤滑油Ｈ１及び軸封漏れ蒸気の温度が十分に低下して、各熱交換器２２，２３，２４の内部で給水Ｗ１が過熱されない状態になっていると判断する。
【００４３】
所定温度は、給水過熱が引き起こす熱交換器の高温腐食（高温状態における腐食性物質の腐食促進作用）を抑制可能な温度として設定される。この所定温度は、給水中の腐食性物質の種類や濃度（平均値や実測値）、熱交換器の構造（プレート式、シェル＆チューブ式等）、熱交換器の材質などの熱交換器の使用条件を反映した予備的な腐食実験データに基づいて決定するのが好ましい。例えば、熱交換器が応力腐食割れ耐性に優れる材料で形成されている場合には、所定温度を９０℃以下に設定するのが好ましく、交換器が応力腐食割れ耐性に乏しい材料で形成されている場合には、５０℃以下に設定するのが好ましい。本実施形態では、所定温度として５０℃以下の温度が設定されている。
【００４４】
なお、所定温度は、固定値とすることもできるし、圧縮機１１の停止ごとに変わる変動値とすることもできる。所定温度を変動値とする場合、次のように設定するとよい。
〔例１〕圧縮機１１の停止時点の潤滑油Ｈ１の温度（例えば、オイルセパレータ１５で分離後の油温）を基点温度として、この基点温度から一定値を減じた温度を所定温度とする。例えば、圧縮機１１の停止時点の油温が８０〜９０℃の範囲にあったとすると、この温度から４０℃低い４０〜５０℃の範囲で所定温度を設定する。
〔例２〕圧縮機１１の停止時点の未加温の給水Ｗ１の温度（例えば、エアクーラ２２に流入前の水温）を基点温度として、この基点温度から一定値を加えた温度を所定温度とする。例えば、圧縮機１１の停止時点の水温が１５〜３５℃の範囲にあったとすると、この温度よりも１５℃高い３０〜５０℃の範囲で所定温度を設定する。
【００４５】
制御部９０は、監視中の給水Ｗ１の温度が所定温度まで低下すると電動弁２５を閉状態にし、給水Ｗ１の流通を停止する。給水Ｗ１の温度が所定温度（５０℃以下の温度）に下がるまで、冷却水の流通が継続されることにより、各熱交換器２２，２３，２４の内部に残存する高温流体（圧縮空気Ａ１、潤滑油Ｈ１及び軸封漏れ蒸気）も冷却される。本実施形態では、圧縮機ユニット１０の動作時の電動弁２５の弁開度が保持されることにより、給水Ｗ１が運転時と同様に連続的に送り込まれるので、高温流体を効果的に冷却することができる。従って、各熱交換器２２，２３，２４の内部に留まる冷却水が高温流体によって過熱され、高温腐食が発生しやすい状況になる事態を確実に防止できる。
【００４６】
腐食防止制御中も流通し続ける給水Ｗ１は、給水タンク５に貯留された後、蒸気ボイラ４に送られる。蒸気ボイラ４の運転中は給水Ｗ１が使用され、蒸気ボイラ４の負荷が大きくなって水の使用量が大きくなり、下限設定値（給水開始水位）を検出すると、補給水弁５１を開いて給水タンク５への給水を行う。
【００４７】
以上説明した第１実施形態の熱回収システム１によれば、以下のような効果を奏する。
即ち、第１実施形態の熱回収システム１は、高温流体（圧縮空気Ａ１、潤滑油Ｈ１及び軸封漏れ蒸気）と腐食性物質を含む冷却水（給水Ｗ１）の間で熱交換を行って冷却水を加熱する熱交換器２２，２３，２４と、高温流体の流通及び冷却水の流通を制御する制御部９０と、を備え、制御部９０は、高温流体の流通が停止した後も、熱交換器２２，２３，２４を通過した冷却水の温度が熱交換器２２，２３，２４の高温腐食を抑制可能な所定温度を下回るまで給水Ｗ１の流通を継続する。
これにより、圧縮機１１の停止後も継続して流通する冷却水によって高温流体が充分に冷却されるので、熱交換器２２，２３，２４の内部の過熱による高温腐食を確実に防止できる。
【００４８】
本実施形態の冷却水（給水Ｗ１）は、腐食性物質として塩化物イオン及び／又は硫酸イオンを含む淡水であるか、腐食性物質として残留塩素を含む淡水である。
これにより、腐食性物質を含む冷却水を使用する場合であっても、所定温度に低下するまで冷却水の流通を継続することによって熱交換器２２，２３，２４の高温腐食を防止できる。
【００４９】
本実施形態では、熱交換器２２，２３，２４の高温腐食を抑制可能な所定温度が５０℃以下に設定される。
これにより、熱交換器２２，２３，２４の高温腐食が確実に抑制される温度まで高温流体を十分に冷却した状態で、冷却水を停止させることができる。
【００５０】
本実施形態の熱回収システム１は、熱交換器２２，２３，２４から流出する冷却水（給水Ｗ１）の温度を検出する温度センサ２６を更に備え、制御部９０は、高温流体の流通が停止すると、温度センサ２６の検出温度を監視し、所定温度を下回るまで冷却水の流通を継続する。
これにより、温度センサ２６の検出温度に基づいて冷却水が十分に冷却されたか否かを判定することができるので、熱交換器２２，２３，２４は、熱的に保護された状態で常に停止されることになる。その結果、熱交換器２２，２３，２４の破損が防止され、長期間に亘って使用することができる。
【００５１】
以上、第１実施形態の熱回収システム１による腐食防止制御を説明したが、冷却水としての給水Ｗ１を所定温度まで下げる方法としては、温度センサ２６の検出温度に基づいて判断する以外の方法を採用することができる。次に、温度センサ２６の検出温度に基づいて判断する以外の方法で高温流体の流通停止後に給水Ｗ１が所定温度まで下がったか否かを判断する第１実施形態の変形例について説明する。
【００５２】
変形例の制御部９０は、高温流体（圧縮空気Ａ１、潤滑油Ｈ１及び軸封漏れ蒸気）の流通停止後に給水Ｗ１が所定温度以下になったことを判断する基準として予め設定される設定時間を用いる。即ち、制御部９０は、高温流体の流通が停止すると、設定時間を経過するまで給水Ｗ１の流通を継続する。
この構成によっても、高温流体が十分に冷却されたか否かを判定することができるので、熱交換器２２，２３，２４は、熱的に保護された状態で常に停止されることになる。また、判定基準が時間となるので腐食防止を実現するための制御をシンプルに構成することができる。
【００５３】
設定時間は、高温流体の温度を所定温度以下まで冷却できる十分な時間である。設定時間は、実験データに基づいて設定される時間であってもよいし、圧縮機ユニット１０の運転履歴データ（例えば、第１実施形態における圧縮機１１の停止から給水停止までに要した時間の最大値など）に基づいて設定されるものであってもよい。高温腐食のリスクを確実に低減するという観点では、給水Ｗ１の温度を低下させておく方が良いため、設定時間は長めに設定されることが好ましい。なお、設定時間を長く設定する場合、温度センサ２６の検出温度の低下に連動して、段階的に電動弁２５の弁開度を絞るようにしてもよい。
【００５４】
上述した第１実施形態では、給油式圧縮機に適用される熱回収システムを例として説明したが、オイルフリー式圧縮機に適用される熱回収システムにおいても本発明を適用することができる。例えば、本出願人による特願２０１４−２１２１６３号に記載した熱回収システムにおいて、熱回収用熱交換器に対する圧縮空気（高温流体）の流通をバイパスさせた後、熱回収用熱交換器を通過した冷却水の温度が熱回収用熱交換器の高温腐食を抑制可能な所定温度を下回るまで冷却水の流通を継続させることができる。一般的にオイルフリー式圧縮機で製造される圧縮空気は、給油式圧縮機で製造される圧縮空気に比べて高温であるために熱交換器の高温腐食をより誘発しやすいが、本発明の腐食抑制制御を採用することにより、効果的に熱交換器の高温腐食を抑制することが可能になる。
【００５５】
以上、本発明の好ましい実施形態について説明したが、本発明は、上述の実施形態に制限されるものではなく、適宜変更が可能である。上記実施形態では、圧縮機に適用される熱回収システムを例として説明してきたが、上記実施形態の構成に限定されず、本発明は他の用途にも適用することができる。
【００５６】
＜第２実施形態＞
次に、蒸気ボイラ４の給水Ｗ１を加熱するシステムに本発明を適用した第２実施形態の熱回収システム３０１について説明する。図２は、本発明の第２実施形態に係る熱回収システム３０１の構成を模式的に示す図である。
【００５７】
図２に示すように、第２実施形態の熱回収システム３０１は、ボイラに給水される給水Ｗ１を蒸気圧縮式のヒートポンプ３０２で加熱する給水加熱システムである。熱回収システム１は、ヒートポンプ３０２と、軟水器３１３と、廃熱回収器３３０と、制御部３９０と、を備える。
【００５８】
第２実施形態のヒートポンプ３０２は、冷媒圧縮機３１０と、凝縮器３０３と、過冷却器３０４と、膨張弁３０５と、蒸発器３０６と、を備える。圧縮機３１０、凝縮器３０３、膨張弁３０５、及び蒸発器３０６は、冷媒循環ラインＬ３１０によって順次環状に接続されている。
【００５９】
冷媒圧縮機３１０は、駆動源としてのモータ３１１を有しており、フロンガス等のガス状の冷媒を圧縮して高温高圧の冷媒（高温流体）Ｈ２にする。凝縮器３０３は、冷媒圧縮機３１０からの冷媒Ｈ２を凝縮液化する。過冷却器３０４は、凝縮器３０３から膨張弁３０５に送られる冷媒Ｈ２と、凝縮器３０３に送られる冷却水としての給水Ｗ１との間で熱交換を行って給水Ｗ１を加熱するとともに冷媒Ｈ２を冷却する。膨張弁３０５は、凝縮器３０３から過冷却器３０４を通じて送られた冷媒Ｈ２の圧力と温度とを低下させる。蒸発器３０６は、熱源水ラインＬ３０１を通じて送られてくる熱源水Ｗ３を熱源として膨張弁３０５から送られる冷媒Ｈ２を蒸発させる。
【００６０】
軟水器３１３は、補給水ラインＬ３００を通じて蒸気ボイラ４の給水タンク５に送る給水Ｗ１を製造する。軟水器３１３には、図示しない原水ラインが接続され、補給水ラインＬ３００には、給水弁３１５、廃熱回収器３３０、過冷却器３０４、凝縮器（熱交換器）３０３、及び給水温度センサ３２４が順次配置される。給水弁３１５は、制御部３９０に電気的に接続されており、制御部３９０によって給水制御される。
【００６１】
以上説明したように、第２実施形態の熱回収システム１は、蒸発器３０６では冷媒Ｈ２が外部の熱源水Ｗ３から熱を回収し、凝縮器３０３では冷媒Ｈ２の熱によって給水Ｗ１を加熱する。そして、第２実施形態では、制御部３９０は、ヒートポンプ３０２の停止信号を受信すると冷媒圧縮機３１０による冷媒Ｈ２の圧縮を停止し、冷媒Ｈ２の循環を停止するとともに、高温流体である冷媒Ｈ２の循環（流通）が停止してからも給水Ｗ１が継続して凝縮器３０３に流れるように腐食防止制御を行う。この構成においても、熱交換器としての凝縮器３０３の内部に残存する冷媒Ｈ２によって給水Ｗ１が過熱され、高温腐食のリスクが高まる事態を防止することができる。第２実施形態では、給水温度センサ３２４の検出温度が所定温度を下回るまで継続して給水Ｗ１を凝縮器３０３に流通させる。
【００６２】
なお、第２実施形態では、給水温度センサ３２４の検出温度に基づいて腐食防止制御を行っているが、第１実施形態の変形例と同様に、設定時間に基づいて腐食防止制御を行う構成としてもよい。
【００６３】
上記実施形態では、電動弁２５を利用して給水量を調節しているが、インバータによる周波数制御によって給水ポンプの回転数を変更して給水Ｗ１の送出量を調節する構成としてもよい。
【００６４】
このように、本発明は、空気圧縮機やヒートポンプ等、高温流体を熱交換器に流通させる種々の熱回収システムに適用することができる。
【符号の説明】
【００６５】
１  熱回収システム
２２  エアクーラ（熱交換器）
２３  オイルクーラ（熱交換器）
２４  ドレン熱交換器（熱交換器）
２６  温度センサ（温度検出部）
９０  制御部
３０１  熱回収システム
３０３  凝縮器（熱交換器）
３９０  制御部
Ｈ１  潤滑油（高温熱媒体）
Ｈ２  熱媒体（高温熱媒体）
Ｌ４  循環ライン（循環ライン）
Ｌ３１０  ヒートポンプ循環ライン（循環ライン）
Ｗ１  給水（冷却水）
【図１】
2018025358.tif 000003
【図２】
2018025358.tif 000004